(57)【要約】【課題】  携帯型プレーヤ１１が充電装置３００に接続された状態で曲Ａを再生し、その後、携帯型プレーヤ１１が充電装置３００に接続されていない状態で別の曲Ｂを再生した場合に、再接続されたときに曲Ａから再び再生開始すること。【解決手段】  充電装置３００は、携帯型プレーヤ１１が充電装置３００に接続された状態で再生を開始するコンテンツに関するレジューム情報を記憶するレジューム情報テーブル３０２Ａと、携帯型プレーヤ１１が充電装置３００と接続解除する直前に再生していた曲に関するレジューム情報を、レジューム情報テーブル３０２Ａに書き込む書込手段と、携帯型プレーヤ１１が充電装置３００に接続された場合に、レジューム情報テーブル３００に記憶されているレジューム情報を読み出して、特定される曲の再生指示を携帯型プレーヤ１１に送信する指示手段とを備える。【選択図】図１
2007220212.tif 000002
【特許請求の範囲】
【請求項１】
複数のコンテンツの中から選択されたコンテンツを再生するコンテンツ再生装置に接続する接続手段と、
該コンテンツ再生装置から、再生されたコンテンツを受信する受信手段と、
該コンテンツ再生装置が該接続手段に接続された状態で再生を開始するコンテンツに関するレジューム情報を記憶するためのレジューム情報記憶手段と、
該接続手段と該コンテンツ再生装置とが接続されたか否かを判断する接続判断手段と、
該コンテンツ再生装置が該接続手段と接続解除する直前に再生していたコンテンツに関するレジューム情報を、該レジューム情報記憶手段に書き込む書込手段と、
該接続手段と該コンテンツ再生装置とが接続されたことを該接続判断手段が判断した場合に、該レジューム情報記憶手段に記憶されているレジューム情報を読み出して、該レジューム情報によって特定されるコンテンツの再生指示を該コンテンツ再生装置に送信する指示手段とを備える、再生制御装置。
【請求項２】
前記接続判断手段が、前記接続手段と前記コンテンツ再生装置との接続が解除されたか否かをさらに判断し、
前記接続手段と前記コンテンツ再生装置との接続が解除されたことを前記接続判断手段が判断したときに、前記書込手段が、前記レジューム情報を前記レジューム情報記憶手段に書き込む、請求項１に記載の再生制御装置。
【請求項３】
レジューム再生指示が入力される入力手段をさらに備え、
前記接続手段と前記コンテンツ再生装置とが接続されたことを前記接続判断手段が判断した場合であって、該入力手段に該レジューム再生指示が入力されたときに、前記指示手段が前記レジューム情報によって特定されるコンテンツの再生指示を該コンテンツ再生装置に送信する、請求項１または２に記載の再生制御装置。
【請求項４】
前記レジューム情報記憶手段が、前記レジューム情報として、コンテンツを特定するコンテンツ特定情報と、該コンテンツを含むリストを特定するリスト特定情報とを含み、
前記指示手段が、該レジューム情報記憶手段から該コンテンツ特定情報および該リスト特定情報を読み出して前記コンテンツ再生装置に送信する、請求項１〜３のいずれかに記載の再生制御装置。
【請求項５】
前記接続手段に接続されたコンテンツ再生装置に記録されているコンテンツが、前回接続解除する直前に該コンテンツ再生装置に記録されていたコンテンツから変更されているか否かを判断する変更判断手段をさらに備え、
コンテンツが変更されていないと該変更判断手段が判断した場合に、前記指示手段が前記レジューム情報によって特定されるコンテンツの再生指示を該コンテンツ再生装置に送信し、
コンテンツが変更されていると該変更判断手段が判断した場合に、前記指示手段が前記レジューム情報によって特定されるコンテンツの再生指示を該コンテンツ再生装置に送信しない、請求項１〜４のいずれかに記載の再生制御装置。
【請求項６】
前記レジューム情報記憶手段が、一または複数の前記コンテンツ再生装置の識別情報と、該各識別情報に対応付けて前記レジューム情報とを記憶可能であり、
前記接続手段に接続されたコンテンツ再生装置の識別情報を該コンテンツ再生装置から取得する識別情報取得手段と、
取得した識別情報が、該レジューム情報記憶手段に記憶されている識別情報と一致するか否かを判断する識別情報判断手段とをさらに備え、
該識別情報判断手段が一致すると判断した場合、前記指示手段が、該一致する識別情報に対応付けられた該レジューム情報によって特定されるコンテンツの再生指示を該コンテンツ再生装置に送信する、請求項１〜５のいずれかに記載の再生制御装置。
【請求項７】
請求項１〜６のいずれかに記載の再生制御装置と、
前記コンテンツ再生装置に電源電圧を供給する電源供給回路と、
前記受信手段が受信したコンテンツを外部に接続される増幅装置に送信する送信手段とを備える、コンテンツ再生装置の充電装置。
【請求項８】
前記コンテンツが音声を含み、
請求項１〜６のいずれかに記載の再生制御装置と、
前記受信手段が受信した音声を増幅する増幅手段とを備える、増幅装置。
【請求項９】
複数のコンテンツの中から選択されたコンテンツを再生するコンテンツ再生装置に接続可能な再生制御装置の動作プログラムであり、
該コンテンツ再生装置から、再生されたコンテンツを受信する受信ステップと、
該再生制御装置と該コンテンツ再生装置とが接続されたか否かを判断する接続判断ステップと、
該コンテンツ再生装置が該再生制御装置と接続解除する直前に再生していたコンテンツに関するレジューム情報を、該レジューム情報テーブルに書き込む書込ステップと、
該再生制御装置と該コンテンツ再生装置とが接続されたことが判断された場合に、該レジューム情報テーブルに記憶されているレジューム情報を読み出す読出ステップと、
読み出されたレジューム情報によって特定されるコンテンツの再生指示を該コンテンツ再生装置に送信する指示ステップとをコンピュータに実行させる、再生制御プログラム。
【請求項１０】
複数のコンテンツの中から選択されたコンテンツを再生する再生手段と、
該コンテンツの送信先である外部装置に接続する接続手段と、
該外部装置に、再生されたコンテンツを送信する送信手段と、
該接続手段が該外部装置に接続解除された状態で再生を開始するコンテンツに関するレジューム情報を記憶するための第１レジューム情報記憶手段と、
該接続手段が該外部装置に接続された状態で再生を開始するコンテンツに関するレジューム情報を記憶するための第２レジューム情報記憶手段と、
該接続手段と該外部装置とが接続されたか否かを判断する接続判断手段と、
該接続手段が該外部装置と接続解除する直前に該再生手段が再生していたコンテンツに関するレジューム情報を、該第２レジューム情報記憶手段に書き込む書込手段と、
該接続手段と該外部装置とが接続されたことを該接続判断手段が判断した場合に、該再生手段が、該第２レジューム情報記憶手段に記憶されているレジューム情報を読み出して、該レジューム情報によって特定されるコンテンツの再生を開始する、コンテンツ再生装置。
【発明の詳細な説明】
【技術分野】
【０００１】
本発明は、コンテンツ再生装置にコンテンツの再生指示を送信する再生制御装置および再生制御プログラムに関する。また、本発明は、コンテンツを再生するコンテンツ再生装置に関する。
【背景技術】
【０００２】
複数のコンテンツ（例えば、音楽（曲）データ）を蓄積するＨＤＤ（ハードディスクドライブ）またはフラッシュメモリを備える携帯型プレーヤ（コンテンツ再生装置）が用いられている。ユーザが自分の部屋で、携帯型プレーヤに蓄積されたコンテンツを再生して音楽を聴く場合、増幅装置に接続された充電装置（再生制御装置）に、携帯型プレーヤが接続される。充電装置は、携帯型プレーヤのバッテリに電源電圧を供給する機能と、携帯型プレーヤからの音声信号を増幅装置に転送する機能とを備える。携帯型プレーヤで再生された音声信号は充電装置を介して増幅装置へ送信され、増幅装置において音楽が再生される。携帯型プレーヤには通常レジューム機能が設けられている。レジューム機能とは、ある曲Ａを再生中にユーザの操作に基づいて曲Ａの再生が停止されたとき、または、携帯型プレーヤの電源がオフ状態にされたとき、曲Ａおよびその停止位置（これらをレジューム情報と呼ぶ）を携帯型プレーヤのＲＡＭ内のテーブルに記憶しておき、次回ユーザが携帯型プレーヤに再生指令を入力したときに、前回再生を停止した曲Ａを停止位置から再生開始する機能である。
【０００３】
上記の携帯型プレーヤには以下の問題を有する。携帯型プレーヤと充電装置とが接続された状態で曲Ａの再生が停止されると、携帯型プレーヤは曲Ａのレジューム情報をテーブルに記憶する。携帯型プレーヤが充電装置から取り外され、接続解除された状態で別の曲Ｂを再生した場合、テーブルに記憶されていた曲Ａのレジューム情報は消去される。接続解除された状態で曲Ｂの再生が停止されると、曲Ｂのレジューム情報がテーブルに記憶される。再び、携帯型プレーヤと充電装置とが接続され再生を開始した場合、テーブルには接続解除された状態で再生停止した曲Ｂのレジューム情報が記憶されているので、携帯型プレーヤは曲Ｂを再生開始する。ユーザは、前回充電装置と携帯型プレーヤとが接続された状態で再生していた曲Ａを、接続解除された状態で別の曲Ｂを再生した場合であっても、再度接続したときに自動的に再生開始したいという要望を有する。この要望は、接続解除の状態で（つまり、部屋の外で）聞く曲と、接続状態で（つまり、部屋の中で）聞く曲とがユーザの気分によって異なるという実情から生じるものである。しかし、従来では、接続解除された状態で曲Ｂを再生した時点で、曲Ａのレジューム情報が消去されるので、この要望を実現することはできない。
【０００４】
【特許文献１】特開２００３−２９８９７５号公報
【発明の開示】
【発明が解決しようとする課題】
【０００５】
本発明の目的は、コンテンツ再生装置が再生制御装置に接続された状態で曲Ａを再生しており、その後、コンテンツ再生装置が再生制御装置に接続されていない状態で別の曲Ｂを再生した場合であっても、コンテンツ再生装置が再生制御装置に再び接続されたときに曲Ａから再び自動的に再生開始することができる再生制御装置を提供することである。
【課題を解決するための手段】
【０００６】
本発明の好ましい実施形態による再生制御装置は、複数のコンテンツの中から選択されたコンテンツを再生するコンテンツ再生装置に接続する接続手段と、  該コンテンツ再生装置から再生されたコンテンツを受信する受信手段と、該コンテンツ再生装置が該接続手段に接続された状態で再生を開始するコンテンツに関するレジューム情報を記憶するためのレジューム情報記憶手段と、該接続手段と該コンテンツ再生装置とが接続されたか否かを判断する接続判断手段と、該コンテンツ再生装置が該接続手段と接続解除する直前に再生していたコンテンツに関するレジューム情報を、該レジューム情報記憶手段に書き込む書込手段と、該接続手段と該コンテンツ再生装置とが接続されたことを該接続判断手段が判断した場合に、該レジューム情報記憶手段に記憶されているレジューム情報を読み出して、該レジューム情報によって特定されるコンテンツの再生指示を該コンテンツ再生装置に送信する指示手段とを備える。
【０００７】
コンテンツ再生装置が再生制御装置に接続された状態で曲Ａを再生しており、曲Ａの再生中に両者の接続が解除された場合、曲Ａに関するレジューム情報がレジューム情報記憶手段に書き込まれる。次に、接続解除状態でコンテンツ再生装置は曲Ｂを再生していたとする。その後、両者が再接続すると、再生制御装置は、レジューム情報記憶手段から前回接続解除する直前に再生していた曲Ａに関するレジューム情報を読み出して、曲Ａの再生指示をコンテンツ再生装置に送信する。従って、接続解除された状態で別の曲Ｂが再生された場合であっても、コンテンツ再生装置は前回接続解除する直前に再生していた曲Ａを自動的に再生開始できる。なお、「前回接続解除する直前に再生していた曲Ａ」とは、接続解除するときに再生していた曲Ａという意味と、接続解除するときに停止状態であれば停止する直前に再生していた曲Ａという意味とを包含する。
【０００８】
好ましくは、上記接続判断手段は、上記接続手段と上記コンテンツ再生装置との接続が解除されたか否かをさらに判断し、上記接続手段と上記コンテンツ再生装置との接続が解除されたことを前記接続判断手段が判断したときに、上記書込手段は、上記レジューム情報を上記レジューム情報記憶手段に書き込む。
【０００９】
曲番号等が変更されるたびにレジューム情報をレジューム情報記憶手段に書き込むと再生制御装置の負荷が増大するが、接続解除が判断された時のみにレジューム情報をレジューム情報記憶手段に書き込むことにより、再生制御装置の負荷を軽減できる。
【００１０】
好ましくは、再生制御装置は、レジューム再生指示が入力される入力手段をさらに備える。上記接続手段と上記コンテンツ再生装置とが接続されたことを上記接続判断手段が判断した場合であって、該入力手段に該レジューム再生指示が入力されたときに、上記指示手段は上記レジューム情報によって特定されるコンテンツの再生指示を該コンテンツ再生装置に送信する。
【００１１】
再生制御装置は、レジューム再生指示が入力されるまで、レジューム情報記憶手段から読み出したレジューム情報によって特定されるコンテンツの再生指示をコンテンツ再生装置に送信しない。その結果、レジューム再生指示が入力されなければ、接続解除状態で再生していた曲の続きを接続後に継続して再生することができる。
【００１２】
好ましくは、上記レジューム情報記憶手段は、上記レジューム情報として、コンテンツを特定するコンテンツ特定情報と、該コンテンツを含むリストを特定するリスト特定情報とを含む。上記指示手段は、該レジューム情報記憶手段から該コンテンツ特定情報および該リスト特定情報を読み出して上記コンテンツ再生装置に送信する。
【００１３】
前回接続解除する直前に構築されていたリストを再構築できるので、コンテンツ再生装置は、当該リストに含まれるコンテンツを連続再生することができる。
【００１４】
好ましくは、再生制御装置は、上記接続手段に接続されたコンテンツ再生装置に記録されているコンテンツが、前回接続解除する直前に該コンテンツ再生装置に記録されていたコンテンツから変更されているか否かを判断する変更判断手段をさらに備える。コンテンツが変更されていないと該変更判断手段が判断した場合に、上記指示手段は上記レジューム情報によって特定されるコンテンツの再生指示を該コンテンツ再生装置に送信する。コンテンツが変更されていると該変更判断手段が判断した場合に、上記指示手段は上記レジューム情報によって特定されるコンテンツの再生指示を該コンテンツ再生装置に送信しない。
【００１５】
再生制御装置は、コンテンツ再生装置に記録されているコンテンツが変更されている場合には、コンテンツ再生装置にレジューム情報によって特定されるコンテンツの再生指示を送信しない。その結果、コンテンツ再生装置が誤ったコンテンツを再生するという誤動作を防止できる。
【００１６】
好ましくは、上記レジューム情報記憶手段は、一または複数の上記コンテンツ再生装置の識別情報と、該各識別情報に対応付けて上記レジューム情報とを記憶可能である。再生制御装置は、上記接続手段に接続されたコンテンツ再生装置の識別情報を該コンテンツ再生装置から取得する識別情報取得手段と、取得した識別情報が、該レジューム情報記憶手段に記憶されている識別情報と一致するか否かを判断する識別情報判断手段とをさらに備える。該識別情報判断手段が一致すると判断した場合、上記指示手段は、該一致する識別情報に対応付けられた該レジューム情報によって特定されるコンテンツの再生指示を該コンテンツ再生装置に送信する。
【００１７】
複数のコンテンツ再生装置を１つの再生制御装置に兼用する場合でも、各コンテンツ再生装置が、各々のレジューム情報によって前回接続解除する直前に再生していたコンテンツを再生開始できる。また、あるコンテンツ再生装置のレジューム情報によって別のコンテンツ再生装置が誤動作したり、別のコンテンツ再生装置によってあるコンテンツ再生装置のレジューム情報が消去されたりすることを防止できる。
【００１８】
本発明の好ましい実施形態による充電装置は、上記いずれかの再生制御装置と、上記コンテンツ再生装置に電源電圧を供給する電源供給回路と、上記受信手段が受信したコンテンツを外部に接続される増幅装置に送信する送信手段とを備える。
【００１９】
本発明の好ましい実施形態による増幅装置は、上記コンテンツが音声を含み、上記いずれかの再生制御装置と、上記受信手段が受信した音声を増幅する増幅手段とを備える。
【００２０】
本発明の好ましい実施形態による再生制御プログラムは、複数のコンテンツの中から選択されたコンテンツを再生するコンテンツ再生装置に接続可能な再生制御装置の動作プログラムであり、該コンテンツ再生装置から再生されたコンテンツを受信する受信ステップと、該再生制御装置と該コンテンツ再生装置とが接続されたか否かを判断する接続判断ステップと、該コンテンツ再生装置が該再生制御装置と接続解除する直前に再生していたコンテンツに関するレジューム情報を、該レジューム情報テーブルに書き込む書込ステップと、該再生制御装置と該コンテンツ再生装置とが接続されたことが判断された場合に、該レジューム情報テーブルに記憶されているレジューム情報を読み出す読出ステップと、読み出されたレジューム情報によって特定されるコンテンツの再生指示を該コンテンツ再生装置に送信する指示ステップとをコンピュータに実行させる。
【００２１】
本発明の好ましい実施形態によるコンテンツ再生装置は、複数のコンテンツの中から選択されたコンテンツを再生する再生手段と、該コンテンツの送信先である外部装置に接続する接続手段と、該外部装置に再生されたコンテンツを送信する送信手段と、該接続手段が該外部装置に接続解除された状態で再生を開始するコンテンツに関するレジューム情報を記憶するための第１レジューム情報記憶手段と、該接続手段が該外部装置に接続された状態で再生を開始するコンテンツに関するレジューム情報を記憶するための第２レジューム情報記憶手段と、該接続手段と該外部装置とが接続されたか否かを判断する接続判断手段と、該接続手段が該外部装置と接続解除する直前に該再生手段が再生していたコンテンツに関するレジューム情報を、該第２レジューム情報記憶手段に書き込む書込手段と、該接続手段と該外部装置とが接続されたことを該接続判断手段が判断した場合に、該再生手段が、該第２レジューム情報記憶手段に記憶されているレジューム情報を読み出して、該レジューム情報によって特定されるコンテンツの再生を開始する。
【発明の効果】
【００２２】
本発明によると、コンテンツ再生装置と再生制御装置とが前回接続解除する直前に再生していたコンテンツを、両者が接続したときにコンテンツ再生装置が再生開始することができる。
【発明を実施するための最良の形態】
【００２３】
以下、本発明の好ましい実施形態について、図面を参照して具体的に説明するが、本発明はこれらの実施形態には限定されない。図１は、本発明の好ましい実施形態による再生制御装置１２を備えるコンテンツ再生システムを示す概略図である。コンテンツ再生システムは、コンテンツ再生装置１１（例えば、携帯型プレーヤ、詳細を図２Ａに示す）、再生制御装置１２（例えば、充電装置３００、詳細を図３に示す）、および増幅装置１３を備える。再生制御装置１２は、代表的には、携帯型プレーヤ１１のバッテリに電源電圧を供給する充電装置３００内に設けられる。しかし、これに限定されず、再生制御装置１２は他の装置（増幅装置１３またはＰＣ等）内に設けられてもよい。なお、コンテンツとは、音楽（曲）、映像および／または静止画等の総称であり、デジタルでもアナログでもよく、圧縮データでも非圧縮データでもよい。本例では、コンテンツが音楽（音声）の場合を例に説明する。
【００２４】
携帯型プレーヤ１１は、音声用および通信用の接続コネクタを介して再生制御装置１２に接続される。再生制御装置１２は、音声用（および必要に応じて通信用）ケーブルを介して増幅装置１３に接続される。再生制御装置１２は、ユーザによって選択された曲の再生指示を携帯型プレーヤ１１に送信する。携帯型プレーヤ１１は、再生指示を受けて、特定された曲を再生し、再生制御装置１２に音声信号を送信する。再生制御装置１２は、携帯型プレーヤ１１から受信した音声信号を増幅装置１３に送信する。増幅装置１３は再生制御装置１２から受信した音声信号を増幅して、図示しないスピーカーを介して音楽を再生する。
【００２５】
再生制御装置１２はレジューム情報テーブル３０２Ａを有しており、コンテンツ再生装置１１が再生制御装置１２に接続されている状態で曲Ａを再生しているときに、コンテンツ再生装置１１と再生制御装置１２との接続が解除された場合、曲Ａのレジューム情報（例えば、曲Ａの情報および曲Ａを含む曲名リストの情報）がレジューム情報テーブル３０２Ａに書き込まれる。その後、携帯型プレーヤ１１が再生制御装置１２から接続解除された状態で、別の曲Ｂを再生した場合であっても、携帯型プレーヤ１１が再生制御装置１２に再接続されると、再生制御装置１２はレジューム情報テーブル３０２Ａに記憶されているレジューム情報を読み出して、曲Ａから再生開始するように携帯型プレーヤ１１に指示する。
【００２６】
なお、携帯型プレーヤ１１もレジューム情報テーブル２１０Ａを有しており、特に限定されないが、携帯型プレーヤ１１が再生制御装置１２に接続されていない状態で曲Ｂの再生を停止したときに、曲Ｂのレジューム情報（例えば、曲Ｂの情報および曲Ｂを含む曲リストの情報）をレジューム情報テーブル２１０Ａに記憶することができる。
【００２７】
図２Ａは、携帯型プレーヤ１１の構成を示す概略図である。携帯型プレーヤ１１は、マイコン処理部２０１、コンテンツ記録部２０２、通信回路２０３、接続コネクタ２０４、デジタル／アナログ変換回路２０５、電源制御回路２０６、バッテリ部２０７、表示部２０８、入力部２０９およびＲＡＭ２１０を備える。マイコン処理部２０１は、制御部２０１Ａ、選曲部２０１Ｂおよびデコード部２０１Ｃを含む。接続コネクタ２０４は、指令入出力端子２０４Ａ、充電端子２０４Ｂ、接続検出端子２０４Ｃおよび音声出力端子２０４Ｄを含む。
【００２８】
制御部２０１Ａは、指令入出力端子２０４Ａおよび通信回路２０３を介して再生制御装置１２から受信した各指令に基づいて、携帯型プレーヤ１１の各動作を制御する。選曲部２０１Ｂは、コンテンツ記録部２０２に蓄積された複数の曲の中から特定された曲を選択する。デコード部２０１Ｃは、コンテンツ記録部２０２から曲データを取得し、デコードし、デジタルアナログ変換回路２０５に与える。デジタルアナログ変換回路２０５は、デコード部２０１Ｃからの音楽データをアナログの音声信号に変換し、音声出力端子２０４Ｄを介して再生制御装置１２に出力する。電源制御回路２０６は、充電端子２０４Ｂを介して充電装置３００から供給された電源電圧をバッテリ部２０７に与え、かつ、バッテリ部２０７に充電された電源電圧を携帯型プレーヤ１１の各部に供給する。表示部２０８は、ＬＣＤ等を含み、携帯型プレーヤ１１の動作状態等を表示する。入力部２０９は、ユーザによって曲の選択指令や再生指令等が入力され、当該指令をマイコン処理部２０１に与える。
【００２９】
コンテンツ記録部２０２は複数のコンテンツ（曲データ）２０２Ａを蓄積しており、代表的には、ＨＤＤや、フラッシュメモリ等の不揮発性メモリが採用され得る（以下、ＨＤＤ２０２とする）。また、ＨＤＤ２０２は、図２Ｂに示すコンテンツ情報データベース２０２Ｂ（以下、コンテンツ情報ＤＢとする）を格納している。コンテンツ情報ＤＢは、ＨＤＤ２０２が蓄積する全てのコンテンツのコンテンツ情報を管理する。つまり、コンテンツ情報ＤＢは、ＨＤＤ２０２が蓄積する全てのコンテンツデータＭ１１〜Ｍ１ｎに関するコンテンツ情報Ｉ１１〜Ｉ１ｎを含む。
【００３０】
図２Ｃにコンテンツ情報の詳細を示す。コンテンツ情報Ｉ１ｎは、代表的には、ファイル名と、コンテンツ名（曲名）と、アーティスト名と、アルバム名と、ジャンル名と、コンテンツの長さ（時間）と、コンテンツＩＤとを含む。
【００３１】
ＲＡＭ２１０には、レジューム情報テーブル２１０Ａが格納されている。レジューム情報テーブル２１０Ａは、例えば、携帯型プレーヤ１１が充電装置３００に接続されていない状態で、曲の再生を停止したときにその曲のレジューム情報を記憶するテーブルである。
【００３２】
図３は充電装置３００（再生制御装置１２）の構成を示す概略図である。充電装置３００は、マイコン処理部３０１と、ＲＡＭ３０２と、通信回路３０３と、接続コネクタ３０４と、電源回路３０５と、電源供給回路３０６と、表示部３０７と、入力部３０８と、音声出力端子３０９とを備える。マイコン処理部３０１は、制御部３０１Ａと、接続検出部３０１Ｂと、再生管理部３０１Ｃと、選曲部３０１Ｄとを含む。接続コネクタ３０４は、指令入出力端子３０４Ａと、充電端子３０４Ｂと、接続検出端子３０４Ｃと、音声入力端子３０４Ｄとを含む。ＲＡＭ３０２にはレジューム情報テーブル３０２Ａが格納されている。
【００３３】
制御部３０１Ａは、図示しないＲＯＭに格納されたプログラムを実行することにより充電装置３００全体の動作を制御する。接続検出部３０１Ｂは、接続コネクタ３０４と携帯型プレーヤ１１の接続コネクタ２０４とが接続されたか否か、および／または、接続コネクタ３０４と接続コネクタ２０４との接続が解除されたか否かを、例えば、接続検出端子３０４Ｃ，２０４Ｃを介してマイコン処理部３０１のポートに入力される電圧値の変化に基づいて検出する。再生管理部３０１Ｃは、携帯型プレーヤ１１から再生中の曲番号や動作状態情報を受信して、ＲＡＭ３０２に一時的に記憶する。また、再生管理部３０１Ｃは、携帯型プレーヤ１１と充電装置３００との接続が解除された際に、ＲＡＭ３０２内の曲番号や動作状態情報、およびリスト構築条件情報（後述）をレジューム情報テーブル３０２Ａに書き込む。選曲部３０１Ｄは、ユーザの入力部３０８の操作によってリストや曲が選択されたとき、リストや曲を特定するための情報を携帯型プレーヤ１１に送信する。また、選曲部３０１Ｄは、ユーザの指示によって選択されたリストを特定するための情報をレジューム情報テーブル３０２Ａに書き込む。また、選曲部３０１Ｄは、レジューム情報をレジューム情報テーブル３０２Ａから読み出して、レジューム情報によって特定される曲の再生指示を携帯型プレーヤ１１に送信する。
【００３４】
通信回路３０３はマイコン処理部３０１と接続コネクタ３０４との間で情報および指令を転送する。接続コネクタ３０４は、携帯型プレーヤ１１の接続コネクタ２０４と接続され、対応する各端子同士２０４Ａ〜２０４Ｄ、３０４Ａ〜３０４Ｄが互いに接続される。電源回路３０５は、商用交流（または直流）電源が供給され、充電装置３００の各部に電源電圧を供給する。電源供給回路３０６は、充電端子３０４Ｂを介して、携帯型プレーヤ１１に電源電圧を供給する。表示部３０７は、携帯型プレーヤ１１の動作状態（再生、停止、一時停止、早送り、巻戻し、ランダム再生）、再生中の曲のコンテンツ情報、曲を選択する際の各リスト等を表示するものであり、例えばＬＣＤ等である。入力部３０８はユーザの指令が入力されるものであり、例えば再生ボタン、停止ボタンおよび曲選択ボタン等である。音声入力端子３０４Ｄは、携帯型プレーヤ１１から音声信号が入力される。音声出力端子３０９は、音声入力端子３０４Ｄからの音声信号を増幅装置１３に出力する。
【００３５】
レジューム情報テーブル３０２Ａは、携帯型プレーヤ１１が充電装置３００に接続された場合に携帯型プレーヤ１１が再生開始するコンテンツに関するレジューム情報を記憶するテーブルである。レジューム情報テーブル３０２Ａを図４に示す。
【００３６】
レジューム情報テーブル３０２Ａは、リスト構築条件情報と、曲情報と、動作状態情報とを含む。リスト構築条件情報は、充電装置３００と携帯型プレーヤ１１との接続が解除される直前に構築されていたリストを、充電装置３００と携帯型プレーヤ１１とが再接続した際に再構築するための情報であり、属性情報と、第１リスト選択値と、第２リスト選択値とを含む。属性情報は、どの属性に着目してリストを作成するかを表す情報であり、アーティスト、アルバム、ジャンルまたはプレイリスト等から選択される。すなわち、図５に示す通り、曲を選択する場合、Ｓ５１で属性情報（アーティスト、アルバム、ジャンルまたはプレイリスト）が選択されるが、選択された属性情報がレジューム情報テーブルの属性情報に書き込まれる。第１リスト選択値は、選択された属性情報によって特定される値の中からどの値に着目して次のリストを作成するかを表す情報であり、番号（順番）と総数とを含む。具体的には、Ｓ５１でアーティストが選択されると、図６（ａ）に示す通り、例えば６つのアーティスト名を含むアーティスト名リストが表示される。第１リスト選択値は、アーティスト名リストの中からどのアーティスト名を選択するかを、総数（６つ）と番号（ＢＢＢであれば２番目）によって特定する。
【００３７】
第２リスト選択値は、第１リスト選択値がアーティストおよびジャンルの場合にのみ、選択された第１リスト選択値によって特定される値の中からさらにどの値に着目して次のリストを絞り込むかを表す情報であり、番号（順番）と総数とを含む。具体的には、Ｓ５２Ａでアーティスト名が特定されると、図６（ｂ）のように例えば４つのアルバム名を含むアルバム名リストが表示される。第２リスト選択値は、例えば、アルバム名リストの中からどのアルバム名を選択するかを、総数（４つ）と番号（ＸＸＸであれば３番目）とによって特定する。
【００３８】
曲情報は、充電装置３００と携帯型プレーヤ１１との接続が解除される直前に携帯型プレーヤ１１が再生していた曲の情報である。曲情報は、リスト構築条件情報によって特定されるリストの中からどの曲を選択するかを番号（順番）と総数とによって特定する情報である。Ｓ５３Ａ、Ｓ５２Ｂ、Ｓ５３ＢまたはＳ５２Ｄにおける値の選択によって、図６（ｃ）に示すように曲名を含む曲名リストが作成され、所望の曲名がユーザによって選択される。携帯型プレーヤ１１は、図６（ｃ）に示す曲名リストの順番に曲を連続再生するが、曲が変更されるたびに曲の番号が携帯型プレーヤ１１から充電装置３００に送信され、接続解除されたときに、直前に再生していた曲の番号が曲情報として書き込まれる。
【００３９】
動作状態情報は、充電装置３００と携帯型プレーヤ１１との接続が解除される直前の携帯型プレーヤ１１の動作状態を表す情報である。動作状態情報は、充電装置３００と携帯型プレーヤ１１とが接続されたときに、携帯型プレーヤ１１に送信され、携帯型プレーヤ１１が受信した動作状態情報に基づいて動作状態を再現する。
【００４０】
次に、コンテンツ再生システムの動作を説明する。まず、図７Ａおよび図７Ｂを参照して選曲処理を説明する。充電装置３００の表示部３０７に属性情報のリストが表示され（Ｓ７０１）、入力部３０８を介して属性情報（本例ではアーティスト）がユーザによって選択され（Ｓ７０２）、属性情報がＲＡＭ３０２に一時的に記憶される。マイコン処理部３０１は、属性情報の選択要求（アーティスト）を携帯型プレーヤ１１に送信する（Ｓ７０３）。携帯型プレーヤ１１のマイコン処理部２０１は、コンテンツ情報ＤＢの中からアーティスト名を抽出して、図６（ａ）のアーティスト名リストを作成する（Ｓ７５１）。マイコン処理部３０１は、アーティスト名リストに含まれるアーティスト名の総数を送信するように要求し（Ｓ７０４、個数通知要求）、マイコン処理部２０１はアーティスト名の総数（６つ）を返信し（Ｓ７５２）、マイコン処理部３０１はアーティスト名の総数を受信して、第１リスト選択値の総数としてＲＡＭ３０２に一時的に記憶する。続いて、マイコン処理部３０１は、アーティスト名リストを送信するように要求し（Ｓ７０５）、マイコン処理部２０１はアーティスト名リストを返信し（Ｓ７５３）、マイコン処理部３０１はアーティスト名リストを受信して（Ｓ７０５）、表示部３０８に表示する（Ｓ７０６）。
【００４１】
アーティスト名リストの中から所望のアーティスト名（例えば、ＢＢＢ）が選択されると（Ｓ７０７）、マイコン処理部３０１は、リスト選択指令（２番目）を送信し（Ｓ７０８）、第１リスト選択値の番号として２をＲＡＭ３０２に一時的に記憶する。マイコン処理部２０１は、リスト選択指令を受信して、アーティスト名がＢＢＢである曲のアルバム名をコンテンツ情報ＤＢから抽出して、アルバム名リストを作成する（Ｓ７５４）。マイコン処理部３０１は、アルバム名リストに含まれるアルバム名の総数を通知するように要求し（Ｓ７０９）、マイコン処理部２０１はアルバム名の総数（４つ）を通知し（Ｓ７５５）、マイコン処理部３０１はアルバム名の総数を受信して、第２リスト選択値の総数としてＲＡＭ３０２に一時的に記憶する。続いて、マイコン処理部３０１は、アルバム名リストを送信するよう要求し（Ｓ７１０）、マイコン処理部２０１はアルバム名リストを返信し（Ｓ７５６）、マイコン処理部３０１はアルバム名リストを受信し（Ｓ７１０）、表示部３０８に表示する（Ｓ７１１）。
【００４２】
アルバム名リストの中から所望のアルバム名（例えば、ＸＸＸ）が選択されると（Ｓ７１２）、マイコン処理部３０１は、リスト選択指令（３番目）を送信し（Ｓ７１３）、第２リスト選択値の番号として３をＲＡＭ３０２に一時的に記憶する。マイコン処理部２０１は、リスト選択指令を受信して、アルバム名がＸＸＸである曲の曲名をコンテンツ情報ＤＢから抽出して、曲名リストを作成する（Ｓ７５７）。マイコン処理部３０１は、曲名リストに含まれる曲名の総数を通知するよう要求し（Ｓ７１４）、マイコン処理部２０１は曲名の総数（１０曲）を通知し（Ｓ７５８）、マイコン処理部３０１は曲名の総数を受信してＲＡＭ３０２に曲情報の総数として一時的に記憶する（Ｓ７１４）。続いて、マイコン処理部３０１は、曲名リストを送信するように要求し（Ｓ７１５）、マイコン処理部２０１は曲名リストを返信し（Ｓ７５９）、マイコン処理部３０１は曲名リストを受信し（Ｓ７１５）、表示部３０８に表示する（Ｓ７１６）。
【００４３】
曲名リストの中から所望の曲名（例えば、ｅｅｅ）が選択されると（Ｓ７１７）、マイコン処理部３０１は曲再生要求（５曲目）を送信し（Ｓ７１８）、ＲＡＭ３０２に曲情報の番号として５を一時的に記憶する。携帯型プレーヤ１１は、曲再生要求を受信して、特定された曲ｅｅｅをＨＤＤ２０２から読み出して、充電装置３００に送信する（Ｓ７６０）。
【００４４】
次に、図８を参照して、携帯型プレーヤ１１と充電装置３００との接続が解除され、レジューム情報をレジューム情報テーブル３０２Ａに書き込む処理を説明する。マイコン処理部３０１は、携帯型プレーヤ１１から現在再生している曲の曲リスト内の番号および携帯型プレーヤ１１の動作状態情報を受信して、ＲＡＭ３０２に一時的に記憶する（Ｓ８０１）。具体的には、携帯型プレーヤ１１は、図６（ｃ）の曲名リストの順番に曲を連続再生するが、次の曲を再生開始するたびに曲名リスト内の曲の番号を充電装置３００に送信するので、充電装置１１は曲の番号を受信してＲＡＭ３０２に一時的に記憶する。この際に、現在再生していない曲の番号は消去される。さらに、携帯型プレーヤ１１は、動作状態が（例えば、再生から一時停止に）変わった場合、変更後の動作状態情報を充電装置３００に送信するので、充電装置３００は動作状態情報を受信して、ＲＡＭ３０２に一時的に記憶する。この際に、前の動作状態情報は消去される。
【００４５】
接続判断部３０１Ｂは、携帯型プレーヤ１１が充電装置３００から取り外されたか（接続コネクタ３０４と接続コネクタ２０４との接続が解除されたか）否かを判断する（Ｓ８０２）。携帯型プレーヤ１１と充電装置３００との接続が解除された場合、マイコン処理部３０１はレジューム情報テーブル３０２Ａにレジューム情報を書き込む（Ｓ８０３）。具体的には、マイコン処理部３０１は、曲選択処理においてＲＡＭ３０２内に記憶された属性情報、第１リスト選択値（総数および番号）および第２リスト選択値（総数および番号）をレジューム情報テーブル３０２Ａに書き込む。さらに、マイコン処理部３０１は、携帯型プレーヤ１１と充電装置３００との接続が解除される直前に再生していた曲の曲番号および携帯型プレーヤ１１の動作状態情報（Ｓ８０１でＲＡＭ３０２に記憶された情報）をレジューム情報テーブル３０２Ａに書き込む。
【００４６】
次に、図９Ａおよび図９Ｂを参照して、携帯型プレーヤ１１が充電装置３００に接続され、前回接続解除する直前に再生していた曲および携帯型プレーヤ１１の動作状態を再現する処理を説明する。接続判断部３０１Ｂは携帯型プレーヤ１１が接続されたか（接続コネクタ２０４と接続コネクタ３０４とが接続されたか）否かを判断する（Ｓ９０１）。携帯型プレーヤ１１が充電装置３００に接続された場合、マイコン処理部３０１は、レジューム情報テーブル３０２Ａから属性情報（アーティスト）を読み出して、携帯型プレーヤ１１に送信する（Ｓ９０２）。携帯型プレーヤ１１は、属性情報（アーティスト）を受信する（Ｓ９５１）。次に、マイコン処理部３０１は、レジューム情報テーブル３０２Ａから第１リスト選択値の番号（２番目）を読み出して、携帯型プレーヤ１１に送信する（Ｓ９０３）。携帯型プレーヤ１１は、第１リスト選択値の番号（２番目）を受信する（Ｓ９５２）。次に、マイコン処理部３０１は、レジューム情報テーブル３０２Ａから第２リスト選択値の番号（３番目）を読み出して、携帯型プレーヤ１１に送信する（Ｓ９０４）。携帯型プレーヤ１１は、第２リスト選択値の番号（３番目）を受信する（Ｓ９５３）。次に、マイコン処理部３０１は、レジューム情報テーブル３０２Ａから曲情報の番号を読み出し、携帯型プレーヤ１１に送信する（Ｓ９０５）。携帯型プレーヤ１１は、曲情報の番号を受信する（Ｓ９５４）。携帯型プレーヤ１１のマイコン処理部２０１は、Ｓ９５１〜Ｓ９５３で受信したレジューム情報に基づいて図６（ｃ）の曲名リストを再現して、ＲＡＭ２１０に記憶する（Ｓ９５５）。さらに、携帯型プレーヤ１１は、Ｓ９５４で受信した曲情報の番号に基づいて曲名リストの中から曲を特定し、特定した曲を再生開始する（Ｓ９５５）。
【００４７】
なお、必要に応じて、Ｓ９０５で、マイコン処理部３０１はレジューム情報テーブル３０２Ａから動作状態情報を読み出して、携帯型プレーヤに送信し、携帯型プレーヤ１１は、動作状態情報を受信して動作状態を再現する。例えば、動作状態情報がランダム再生であれば、携帯型プレーヤ１１は曲目リストの中の曲をランダムに選択して再生することができる。
【００４８】
以上の処理により、携帯型プレーヤ１１を充電装置３００に接続した際に、携帯型プレーヤ１１は、携帯型プレーヤ１１と充電装置３００との接続が解除された直前に再生していた曲から再生を開始できる。さらに、曲名リストを再現するので、接続を解除する直前にユーザによって選択された曲名リストの順番に曲を連続再生することができる。なお、Ｓ８０３で接続が解除されたときにレジューム情報をレジューム情報テーブル３０２Ａに書き込むのではなく、携帯型プレーヤ１１が再生を開始した時および曲番号や動作状態情報が通知された時にレジューム情報をレジューム情報テーブル３０２Ａに随時書き込んでもよい。また、曲の再生が停止された時にレジューム情報をレジューム情報テーブル３０２Ａに書き込んでもよい。また、レジューム情報テーブル３０２の曲情報が開始位置（開始時間）を含んでおり、再生位置を携帯型プレーヤ１１に送信することにより、携帯型プレーヤ１１は、前回接続を解除した時の再生位置から曲を再生開始するようにしてもよい。現在の再生位置は携帯型プレーヤ１１から例えば１ｓｅｃ毎に送信されるので、接続解除された時の再生位置がレジューム情報テーブルに書き込まれる。
【００４９】
次に、本発明の別の好ましい実施形態を説明する。前の実施形態では、１つの充電装置３００を複数の携帯型プレーヤ１１が兼用した場合、ある携帯型プレーヤのレジューム情報が記憶されているときに、別の携帯型プレーヤが接続された場合、別の携帯型プレーヤがレジューム情報に基づいて無関係な曲を再生してしまうという問題が生じる。本例では、携帯型プレーヤ毎にレジューム情報を記憶することにより、そのような問題を解決する。さらに、ある携帯型プレーヤのレジューム情報が、別の携帯型プレーヤによって消去されるという問題を解決する。さらに、携帯型プレーヤに記録された曲が変更（追加、消去を含む）されたとき、リスト内の曲の番号や、アーティスト名リスト内のアルバム名の番号等が変更されるので、レジューム再生処理を実行すると、前回接続解除する直前に再生されていた曲とは異なる曲が再生されてしまという問題が生じるが、本例ではそのことを検出してレジューム再生処理を実行しないことにより、誤動作を防止する。以下、詳細に説明する。
【００５０】
本例におけるレジューム情報テーブル３０２Ｂを図１０に示す。レジューム情報テーブル３０２Ｂは、図４のレジューム情報テーブル３０２Ａと比較して携帯型プレーヤの識別番号（例えば、シリアル番号など）をさらに含み、シリアル番号に対応付けて各携帯型プレーヤのレジューム情報が書き込まれる。なお、シリアル番号は、携帯型プレーヤ１１のＨＤＤ２０２内に予め格納されている。
【００５１】
図１１を参照して、本例のレジューム情報書込処理を説明するが、図８と同一部分には同一符号を付し説明を省略する。まず、携帯型プレーヤ１１が充電装置３００に接続されたとき、マイコン処理部３０１は携帯型プレーヤ１１からシリアル番号を受信してＲＡＭ３０２に一時的に記憶する（図示せず）。携帯型プレーヤ１１が接続解除されると（Ｓ８０２：ＹＥＳ）、マイコン処理部３０２は、接続が解除された携帯型プレーヤ１１のシリアル番号（ＲＡＭに記憶されているシリアル番号）と一致するシリアル番号がレジューム情報テーブル３０２Ｂに記憶されているか否かを判断する（Ｓ１１０１）。一致するシリアル番号がレジューム情報テーブル３０２Ｂに記憶されていれば、当該シリアル番号に対応付けられた各項目にレジューム情報を書き込む（１１０３）。一方、一致するシリアル番号がレジューム情報テーブル３０２Ｂに記憶されていなければ（Ｓ１１０１：ＮＯ）、レジューム情報テーブル３０２Ｂのシリアル番号の項目に未登録部が存在するか否かを判断する（Ｓ１１０２）。未登録部が存在すれば、Ｓ１１０３に進み、マイコン処理部３０１は、レジューム情報テーブル３０２ＢにＲＡＭ３０２に記憶されているシリアル番号を登録し、当該シリアル番号に対応付けられた各項目にレジューム情報を書き込む。なお、未登録部が存在しなければ、レジューム情報を書き込まずに処理を終了する。
【００５２】
次に、図１２を参照して、本例のレジューム再生処理を説明するが、図９と同一の処理には同一符号を付し、説明を省略または簡略化する。携帯型プレーヤ１１が接続されると（Ｓ９０１：ＹＥＳ）、マイコン処理部３０１は、携帯型プレーヤ１１からシリアル番号を受信し、ＲＡＭ３０２に一時的に記憶する（Ｓ１２０１）。マイコン処理部３０１は、接続された携帯型プレーヤ１１のシリアル番号と一致するシリアル番号がレジューム情報テーブル３０２Ｂに記憶されているか否かを判断する（Ｓ１２０２）。記憶されていなければ接続された携帯型プレーヤに関するレジューム情報は存在しないので、レジューム再生せずに処理を終了する。記憶されている場合（Ｓ１２０２：ＹＥＳ）、マイコン処理部３０１は、接続されている携帯型プレーヤ１１のシリアル番号に対応付けられた各項目のレジューム情報を読み出して以下の処理を実行する。まず、マイコン処理部３０１は、レジューム情報テーブルのシリアル番号が一致する項目から属性情報を読み出して、携帯型プレーヤ１１に送信する（Ｓ９０２）。
【００５３】
次にマイコン処理部３０１は、携帯型プレーヤ１１に属性情報によって特定されるリスト（例えばアーティスト名リスト）に含まれるアーティスト名の総数を要求し（Ｓ１２０３）、携帯型プレーヤ１１はアーティスト名リストに含まれるアーティスト名の総数を充電装置３００に送信し、マイコン処理部３０１は総数を取得しＲＡＭ３０２に一時的に記憶する（Ｓ１２０３）。マイコン処理部３０１は、携帯型プレーヤ１１から受信したアーティスト名の総数と、レジューム情報テーブル３０２Ｂの第１リスト選択値に記憶されている総数とが一致するか否かを判断する（Ｓ１２０４）。一致しない場合、携帯型プレーヤ１１に記録されている曲が変更されていると判断されるので、レジューム再生処理を実行せずに、処理を終了する（Ｓ１２０９）。一致する場合、Ｓ９０３に進む。
【００５４】
次に、マイコン処理部３０１は、第１リスト選択値の番号をレジューム情報テーブル３０２Ｂから読み出して、携帯型プレーヤ１１に送信する（Ｓ９０３）。マイコン処理部３０１は、第１リスト選択値によって特定されるリスト（例えばアルバム名リスト）に含まれるアルバム名の総数を要求し（Ｓ１２０５）、携帯型プレーヤ１１はアルバム名リストに含まれるアルバム名の総数を充電装置３００に送信し、充電装置３００は総数を取得しＲＡＭに一時的に記憶する（Ｓ１２０５）。マイコン処理部３０１は、携帯型プレーヤ１１から受信したアルバム名の総数と、レジューム情報テーブル３０２Ｂの第２リスト選択値に記憶されている総数とが一致するか否かを判断する（Ｓ１２０６）。一致しない場合、携帯型プレーヤ１１に記録されている曲が変更されているので、レジューム再生処理を実行せずに、処理を終了する（Ｓ１２０９）。一致する場合、Ｓ９０４に進む。
【００５５】
次に、マイコン処理部３０１は、第２リスト選択値の番号をレジューム情報テーブル３０２Ｂから読み出して、携帯型プレーヤ１１に送信する（Ｓ９０４）。マイコン処理部３０１は、第２リスト選択値によって特定される曲名リストに含まれる曲名の総数を要求し（Ｓ１２０７）、携帯型プレーヤ１１は曲名リストに含まれる曲名の総数を充電装置３００に送信し、充電装置３００は総数を取得しＲＡＭに一時的に記憶する（Ｓ１２０７）。マイコン処理部３０１は、携帯型プレーヤ１１から受信した曲名の総数と、レジューム情報テーブル３０２Ｂの曲情報に記憶されている総数とが一致するか否かを判断する（Ｓ１２０８）。一致しない場合、携帯型プレーヤに記録されている曲が変更されているので、レジューム再生処理を実行せずに、処理を終了する（Ｓ１２０９）。一致する場合、レジューム情報テーブル３０２Ｂに記憶されている番号を携帯型プレーヤ１１に送信し、携帯型プレーヤは特定された番号の曲を選択して再生開始する。
【００５６】
次に、本発明のさらに別の好ましい実施形態を説明する。本例では、レジューム情報テーブルにリストおよび曲を特定する番号（順番）を記憶させるのではなく、コンテンツ情報自体を記憶させる。これにより、携帯型プレーヤに曲が追加されてリスト内の順番が変わった場合でも、前回接続解除する直前に再生していた曲が削除されていない限り、確実に、その曲を特定して、特定された曲から携帯型プレーヤに再生開始させることができる。
【００５７】
本例で使用されるレジューム情報テーブル３０２Ｃを図１３に示す。図１３に示すとおり、第１リスト選択値、第２リスト選択値および曲情報の各項目にそれぞれ、例えば、アーティスト名、アルバム名および曲名が書き込まれる。携帯型プレーヤ１１が充電装置３００に接続されると、レジューム情報テーブル３０２Ｃから第１リスト選択値、第２リスト選択値および曲情報に記憶されたコンテンツ情報が携帯型プレーヤ１１に送信される。携帯型プレーヤ１１は、受信した第１リスト選択値、第２リスト選択値によって曲名リストを作成し、受信した曲情報に基づいて曲を特定して再生を開始する。
【００５８】
次に、本発明のさらに別の好ましい実施形態を説明する。本例では、携帯型プレーヤ１１を充電装置３００に接続した際に自動的にレジューム情報３０２Ａに基づいて携帯型プレーヤ１１に再生指示を送信するのではなく、ユーザからレジューム再生指示の入力があったときにレジューム情報テーブル３０２Ａに基づいてレジューム再生を携帯型プレーヤ１１に指示する。例えば、入力部３０８は、図示しないレジューム再生ボタンと通常再生ボタンとを有している。図１４に示す通り、携帯型プレーヤ１１が充電装置３００に接続された場合であり（Ｓ１４０１：ＹＥＳ）、ユーザによってレジューム再生ボタンが操作されレジューム再生指示が入力されたとき（Ｓ１４０２：ＹＥＳ）、充電装置３００は、レジューム情報テーブル３０２Ａから読み出したレジューム情報を用いて携帯型プレーヤ１１に再生指示する（Ｓ９０２〜Ｓ９０５）。
【００５９】
一方、携帯型プレーヤ１１を充電装置３００に接続した際に、携帯型プレーヤ１１が充電装置３００に接続されていない状態で再生していた曲を再生したい場合、ユーザによって通常再生ボタンが操作され、通常再生指示が入力される（Ｓ１４０７：ＹＥＳ）。この場合、充電装置３００は、携帯型プレーヤ１１に再生指示を送信する（Ｓ１４０８）。携帯型プレーヤ１１は、再生指示を受信すると、自身が所有するレジューム情報テーブル２０２Ａからレジューム情報を読み出して再生を開始する。その結果、携帯型プレーヤ１１が充電装置３００に接続されていない状態で再生停止した曲から再生を開始することができる。
【００６０】
また、携帯型プレーヤ１１が曲Ａを再生中に充電装置３００に接続された場合に、レジューム再生指示が入力されるまでは、曲Ａの再生を継続し、レジューム再生指示が入力されると（Ｓ１４０２：ＹＥＳ）、充電装置３００は、レジューム情報テーブル３０２Ａから読み出したレジューム情報を用いて携帯型プレーヤ１１に再生を指示する（Ｓ９０２〜Ｓ９０５）。
【００６１】
次に、本発明の別の好ましい実施形態について説明する。本例では、再生制御装置１２が増幅装置１３内に設けられており、携帯型プレーヤ１１が増幅装置１３に直接接続される。図１５に示す通り、増幅装置１３は、再生制御装置１２の各構成の他に、複数の再生装置（ＣＤプレーヤ、ＭＤプレーヤ等）から音声が入力される音声入力端子６０１と、音声入力端子６０１に入力される音声と音声入力端子３０４Ｄを介して携帯型プレーヤ１１から入力される音声の中から１つの音声を選択するセレクタ回路６０２と、音声信号を増幅する増幅回路６０３と、増幅された音声信号をスピーカーに出力する音声出力端子６０４とを備える。その他の構成は、図３の充電装置３００に含まれる再生制御装置と同じであるので説明を省略する。
【００６２】
次に、本発明の別の好ましい実施形態を説明する。本例では、図１６に示すとおり、再生制御装置１２が携帯型プレーヤ１１内に設けられており、携帯型プレーヤ１１は、（例えば充電装置３００を介して）増幅装置１３に接続される。携帯型プレーヤ１１は、再生制御装置１２の機能として、接続検出部３０１Ｂおよび再生管理部３０１Ｃをさらに備える。ＲＡＭ２１０には、携帯型プレーヤ１１が増幅装置１３または充電装置３００に接続されていない状態で再生停止した曲のレジューム情報を記憶する第１レジューム情報テーブル２１０Ａと、携帯型プレーヤ１１が増幅装置１３または充電装置３００に接続されている状態で再生しているときに接続が解除された曲のレジューム情報を記憶する第２レジューム情報テーブル３０２Ａを格納している。第２のレジューム情報テーブルは図４または図１３のもの採用され得る。
【００６３】
携帯型プレーヤ１１は、図７Ａおよび図７Ｂにおける選曲処理において、充電装置３００から受信した属性情報、第１リスト選択値の番号、第２リスト選択値の番号、および曲情報の番号を、ＲＡＭ２１０内に一時的に記憶しておく。携帯型プレーヤ１１は、増幅装置１３と接続解除されたことを接続検出部３０１Ｂが検出した場合に、接続解除する直前に再生していた曲のレジューム情報を第２レジューム情報テーブル３０２Ａに書き込む（図８のＳ８０２、Ｓ８０３を援用、Ｓ８０１の処理は不要）。その後、携帯型プレーヤ１１は、増幅装置１３と接続されたことを接続検出部３０１Ｂが検出した場合に、第２レジューム情報テーブル３０２Ａからレジューム情報を読み出して、レジューム情報によって特定される曲リストを作成し、レジューム情報によって特定される曲を再生開始する（すなわち、図９のＳ９０１が「増幅装置に接続されたか」に変更にされ、Ｓ９０２〜Ｓ９０５が「各レジューム情報を読み出して再生を開始する」に変更される）。その他の構成は前の実施形態を援用する。
【００６４】
以上、本発明の好ましい実施形態を説明したが、本発明はこれらの実施形態には限定されない。図２Ａに記載の携帯型プレーヤ１１のレジューム情報テーブル２１０Ａには、携帯型プレーヤ１１と充電装置３００との接続が解除された状態におけるレジューム情報のみが記憶され、携帯型プレーヤ１１と充電装置３００との接続が解除されときに、自動的に携帯型プレーヤ１１がレジューム情報テーブル２１０Ａに記憶されているレジューム情報によって特定される曲を再生開始してもよい。充電装置３００の音声信号の入出力端子が、デジタル入出力端子であってもよい。また、コンテンツ再生装置は、ＣＤプレーヤ等のように、コンテンツ記録部を備えず、可搬型記録媒体を再生する再生装置でもよく、携帯電話であってもよい。また、本発明は、上記の動作をコンピュータに実行させるための再生制御装置のコンピュータプログラムという形態で提供すれて、ＰＣにインスタールすることもできる。
【産業上の利用可能性】
【００６５】
本発明は、コンテンツ再生装置を再生制御する再生制御装置（例えば、充電装置）に好適に採用され得る。
【図面の簡単な説明】
【００６６】
【図１】本発明の好ましい実施形態によるコンテンツ再生システムを示すブロック図である。
【図２Ａ】携帯型プレーヤ１１の構成を示すブロック図である。
【図２Ｂ】コンテンツ情報データベースのデータ構成を示す図である。
【図２Ｃ】コンテンツ情報のデータ構成を示すブロック図である。
【図３】充電装置３００の構成を示すブロック図である。
【図４】レジューム情報テーブルを示す図である。
【図５】曲選択の手順を説明する図である。
【図６】（ａ）〜（ｃ）は各リストを示す図である。
【図７Ａ】曲選択処理を示すフロー図である。
【図７Ｂ】曲選択処理を示すフロー図である。
【図８】レジューム情報書込処理を示すフロー図である。
【図９Ａ】充電装置のレジューム再生処理を示す図である。
【図９Ｂ】携帯型プレーヤ１１のレジューム再生処理を示すフロー図である。
【図１０】レジューム情報テーブルを示す図である。
【図１１】レジューム情報書込処理を示すフロー図である。
【図１２】充電装置のレジューム再生処理を示すフロー図である。
【図１３】レジューム情報テーブルを示す図である。
【図１４】充電装置のレジューム再生処理を示すフロー図である。
【図１５】増幅装置の構成を示す図である。
【図１６】携帯型プレーヤの構成を示す図である。
【符号の説明】
【００６７】
１１            コンテンツ再生装置
１２            再生制御装置
１３            増幅装置
３００          充電装置
３０１Ｂ        接続検出部
３０１Ｃ        再生管理部
３０１Ｄ        選曲部
３０２Ａ        レジューム情報テーブル
【図１】
2007220212.tif 000003
【図２Ａ】
2007220212.tif 000004
【図２Ｂ】
2007220212.tif 000005
【図２Ｃ】
2007220212.tif 000006
【図３】
2007220212.tif 000007
【図４】
2007220212.tif 000008
【図５】
2007220212.tif 000009
【図６】
2007220212.tif 000010
【図７Ａ】
2007220212.tif 000011
【図７Ｂ】
2007220212.tif 000012
【図８】
2007220212.tif 000013
【図９Ａ】
2007220212.tif 000014
【図９Ｂ】
2007220212.tif 000015
【図１０】
2007220212.tif 000016
【図１１】
2007220212.tif 000017
【図１２】
2007220212.tif 000018
【図１３】
2007220212.tif 000019
【図１４】
2007220212.tif 000020
【図１５】
2007220212.tif 000021
【図１６】
2007220212.tif 000022